(57)【要約】      （修正有）【課題】自動的にカードを１枚ずつ取り出すことを可能とし、コンパクトで操作性に優れたカードホルダを提供する。【解決手段】カードホルダとしてのホルダ本体６は、カード収容部２３内において、複数枚の名刺（カード）を重なる状態で収容し、保持してなる。カード収容部２３内の名刺のうち、最下段の名刺の下面には弾性部材としての板バネ１２が当接され、該バネ１２が収容部２３内の名刺の全体を収容部２３内で持ち上げられるべく付勢させている。カード収容部２３内の名刺のうち最上段の名刺の上面にはスライドされる取り出し機構としてのスライド板１８が備えられる。【選択図】図４
0003151947.tif 000002
【実用新案登録請求の範囲】
【請求項１】
一端側にカードを出入れするための開口部を備え、該開口部の内部に複数枚のカードを重なる状態で収容し、保持可能とするカード収容部を備え、カード収容部に収容されるカードを開口部より１枚ずつ取り出すための取り出し機構を備えたカードホルダにあって、
カード収容部内において重なる状態で収容されるカードのうち、最下段のカードの下面に当接され、重なるカードの全体をカード収容部内において上方に持ち上げるべく付勢される弾性部材と、
カード収容部内において重なる状態で収容され、全体を弾性部材により持ち上げられるカードのうち、最上段のカードの上面と接触され、カード収容部内と開口部の外方位置との間を往復動可能に操作可能とされるスライド板と、スライド板のカード収容部内側の位置に備えられ、カード収容部内において重なるカードのうち、最上段のカードの開口部と対向する奥部側と係合可能な下方に突出する係合爪とを備え、スライド板を開口部に向けてスライド操作することにより、カード収容部内のカードのうち、最上段のカードを係合爪に係合させて開口部の外方位置へとスライド可能とし、カードを開口部より１枚ずつ取り出すことを可能とした取り出し機構と、
を備えてなるカードホルダ。
【請求項２】
カード収容部内と開口部の外方位置との間を往復動可能とされるスライド板は、常時はカード収容部内に位置決めされるようカード収容部に対し、間に引っ張りスプリングを介装させる状態で支持され、スライド板の開口部の外方位置へのスライド操作は、該引っ張りスプリングの引っ張り力に抗して行うこととしてなる請求項１に記載のカードホルダ。
【請求項３】
カード収容部内と開口部の外方位置との間を往復動可能とされるスライド板には、上面に指でスライド板をスライド操作可能とするための操作体を取着させることとした請求項１に記載のカードホルダ。
【考案の詳細な説明】
【技術分野】
【０００１】
本考案は、名刺その他のカードを内部に収容し、収容されたカードを１枚ずつ取り出すことを可能とするカードホルダに関する。
【背景技術】
【０００２】
一般に市販される名刺入れは、革製あるいは合成樹脂製のケース内に複数枚の名刺を重ね合わせる状態で収容するものがほとんどされ、背広の内ポケットやハンドバッグなどに入れて持ち歩くようにしている。
【０００３】
このような構成からなる名刺入れから名刺を取り出す場合、収容され、重ね合わさせる状態にあるケース内の名刺を指で摘まむようにして１枚ずつ取り出すようにしていた。
【０００４】
さらに名刺入れの中には、下記特許文献１に示すように箱状の名刺入れの側面上方に名刺を１枚ずつ取り出すためのスリットを形成し、この箱の上部に長孔を形成し、該長孔の部分において、内部に重なった状態にある名刺の最上段の名刺をスリットに向けて指でスライドさせ、名刺をスリットより１枚ずつ取り出すようにしたものも存在する。
【先行技術文献】
【特許文献】
【０００５】
【特許文献１】実用新案登録第３０１５５９６号公報
【０００６】
ところで出願人は、上記従来の名刺入れに対し、背広の内ポケットなどに入れて持ち運ぶことができ、コンパクトで操作性に優れ、自動的に名刺等のカードを１枚ずつ取り出すことができるカードホルダの開発を試行錯誤に基づき、行ってきたところである。
【考案の概要】
【考案が解決しようとする課題】
【０００７】
本考案は、自動的にカードを１枚ずつ取り出すことを可能とし、コンパクトで操作性に優れたカードホルダを提供することを目的としている。
【課題を解決するための手段】
【０００８】
上記目的を達成するため、本考案の請求項１は、一端側にカードを出入れするための開口部を備え、該開口部の内部に複数枚のカードを重なる状態で収容し、保持可能とするカード収容部を備え、カード収容部に収容されるカードを開口部より１枚ずつ取り出すための取り出し機構を備えたカードホルダにあって、カード収容部内において重なる状態で収容されるカードのうち、最下段のカードの下面に当接され、重なるカードの全体をカード収容部内において上方に持ち上げるべく付勢される弾性部材と、カード収容部内において重なる状態で収容され、全体を弾性部材により持ち上げられるカードのうち、最上段のカードの上面と接触され、カード収容部内と開口部の外方位置との間を往復動可能に操作可能とされるスライド板と、スライド板のカード収容部内側の位置に備えられ、カード収容部内において重なるカードのうち、最上段のカードの開口部と対向する奥部側と係合可能な下方に突出する係合爪とを備え、スライド板を開口部に向けてスライド操作することにより、カード収容部内のカードのうち、最上段のカードを係合爪に係合させて開口部の外方位置へとスライド可能とし、カードを開口部より１枚ずつ取り出すことを可能とした取り出し機構と、を備えるようにしている。
【０００９】
また本考案の請求項２は、上記請求項１にあって、スライド板を常時はカード収容部内に位置決めされるようカード収容部に対し、間に引っ張りスプリングを介装させる状態で支持され、スライド板の開口部の外方位置へのスライド操作は、該引っ張りスプリングの引っ張り力に抗して行うこととしている。
【００１０】
さらに本考案の請求項３は、上記請求項１にあって、スライド板の上面に指でスライド板をスライド操作可能とするための操作体を取着させることとしている。
【考案の効果】
【００１１】
本考案の請求項１によれば、カード収容部に備えられる弾性部材により、カード収容部内において重なる状態で収容されるカード全体が上方に持ち上げられる状態となり、最上段に位置されるカードが常時スライド板に接触される状態でカード収容部内に収容されることとなる。こうしてカード収容部内において重なる状態で収容されるカードに対し、スライド板が収容部内において最上段のカードの上面と接触することとなり、この状態においてスライド板を開口部の外方に向けてスライド操作することにより、該最上段のカードを係合爪に係合させて開口部の外方位置へスライド可能とすることができる。開口部の外方位置にスライドされたカードは、指で摘まむようにして取り出すことが可能となり、こうして最上段のカードが取り出されたら再びスライド板をカード収容部内へスライドさせることにより、取り出されたカードの下段にあったカードが弾性部材の弾性力により上方に持ち上げられ、スライド板の下面に接触されることになる。このようにして順次カード収容部内に重なる状態で収容されるカードを、スライド板のカード収容部内と開口部の外方位置間の往復動により取り出すことが可能となり、自動的にカードを１枚ずつ取り出すことを可能とし、コンパクトで操作性に優れたカードホルダを提供することができる。
【００１２】
加えて請求項２の考案によれば、スライド板を常時はカード収容部内に位置決めされるようカード収容部に対し、間に引っ張りスプリングを介装させる状態で支持され、スライド板の開口部の外方位置へのスライド操作は、該引っ張りスプリングの引っ張り力に抗して行うこととしているので、スライド板を開口部の外方位置にスライドし、カードを取り出した状態のままにすれば、スライド板は自動的に引っ張りスプリングの引っ張り力により、カード収容部内にスライドすることとなり、より操作性に優れたカードホルダの提供が可能となる。
【００１３】
さらに請求項３の考案によれば、スライド板の上面に指でスライド板をスライド操作可能とするための操作体を取着させることとしているので、操作体を指で操作するだけでカード収容部内のカードを１枚ずつ取り出すことができ、より操作性に優れたカードホルダの提供が可能となる。
【図面の簡単な説明】
【００１４】
【図１】本考案の実施形態に係るカードホルダを採用した名刺ホルダの外観斜視図である。
【図２】図１の名刺ホルダの外ケースの舌片を開いた状態を示す斜視図である。
【図３】名刺ホルダの外ケースを取り除いたホルダ本体を示す斜視図である。
【図４】ホルダ本体の分解状態を示す斜視図である。
【図５】スライド板のスライド構造を示す斜視図である。
【図６】スライド板がカードホルダ内に格納されたスライド位置にある状態を示すホルダ本体の図３の矢視ＶＩ方向から観た側面図である。
【図７】スライド板を開口部の外方位置にスライドさせた状態を示す図６と同様の側面図である。
【図８】スライド板がカードホルダ内に格納されたスライド位置にある状態を示す図３のＶIII−ＶIII線に沿う断面図である。
【図９】スライド板を開口部の外方位置にスライドさせた状態を示す図８と同様の断面図である。
【考案を実施するための形態】
【００１５】
以下、本考案の実施形態に係るカードホルダを採用した名刺ホルダを図１ないし図９に基づいて説明する。名刺ホルダ１は図１に示す外観からなり、合成皮革製の外ケース２で外装されてなる。すなわち、この外ケース２は図２に示すケース開口３を舌片４で被覆可能とされ、図１に示すように舌片４の先端の係合片４ａをスライド操作片５に係入することにより、ケース開口３を閉塞可能にしている。
【００１６】
外ケース２の内部には、ケース開口３より挿入される状態で本考案に係るカードホルダを構成するホルダ本体６が内装される。内装されるホルダ本体６は、図３に示すような扁平直方体形状の外観からなり、外ケース２に内装される状態において、ケース開口３と対応する位置に、内部に収容するカードを出入れするための開口部７を備えるようにしている。またホルダ本体６は外ケース２を外装する状態において、ホルダ本体６の上面に備えられるスライド操作片５を矢印Ａ方向（図２参照）にスライド操作可能としてなり、このため外ケース２にはスライド操作片５を外ケース２上でスライド操作可能とするための長孔８が備えられる。
【００１７】
一端側にカードを出入れするための開口部７を備えるホルダ本体６は、図４に示す各部材を組合せて形成され、長方形状の金属製の底板１０の上面に、底板１０と平面同サイズからなる同じく金属製の下板１１を被着して構成される。底板１０の上面には矢印Ｂ方向に付勢される一対の金属製の板バネ１２（弾性部材）が被着され、この板バネ１２は、底板１０の上面に下板１１が被着された状態において、下板１１に形成された一対の開口窓１３内に位置されることとなり、図５に示すように先端部を上方に向けて矢印Ｂ方向に付勢させるようにしている。
【００１８】
下板１１上には開口部７が形成される一端側の辺部を除き、他の３辺部分に全体金属材で形成される壁枠体１４が取付けられる。これにより下板１１上は、開口部７が形成される一端側を除き、周囲が壁枠体１４で囲繞されることとなる。
【００１９】
壁枠体１４には、上部に係合突起１５ａ、１５ｂ、１５ｃ、１５ｄ、１５ｅ、１５ｆが備えられる。一方、壁枠体１４の上部には、下板１１と略同サイズの平板からなる全体金属製の上板１６が被着される。壁枠体１４に対する上板１６の被着は、上記各係合突起１５ａ、１５ｂ、１５ｃ、１５ｄ、１５ｅ、１５ｆを、上板１６の対応する位置に形成される係合孔１７ａ、１７ｂ、１７ｃ、１７ｄ、１７ｅ、１７ｆに係合させることにより行われる。すなわち、壁枠体１４に対する上板１６の被着は、係合突起１５ａを係合孔１７ａに、係合突起１５ｂを係合孔１７ｂに、係合突起１５ｃを係合孔１７ｃに、係合突起１５ｄを係合孔１７ｄに、係合突起１５ｅを係合孔１７ｅに、係合突起１５ｆを係合孔１７ｆにそれぞれ係合することにより行うものとされる。
【００２０】
こうして下板１１上において、壁枠体１４を介して上板１６が取着する状態において、上板１６と下板１１との間にはカードを収容するための直方体形状の空間が画成され、この空間をカード収容部２３としている。このカード収容部２３には、予めスライド板１８が配設される。スライド板１８は図４に示すように平面略長方形状からなる平板状のものとされ、図４の平面Ｙ方向における各端部に鉤状突起１９を備えてなる。スライド板１８は、各鉤状突起１９を壁枠体１４のＸ方向（図４参照）に沿って備えられる凹溝部２０に位置決めされ、この状態で壁枠体１４の上部に上板１６を取着することで凹溝部２０にて形成されるスリットに鉤状突起１９を係合させ、支持させることが可能となる。
【００２１】
すなわち、スライド板１８は、図３に示す各部材の組立て状態において、Ｙ方向での各端部に備えられる鉤状突起１９を対応する凹溝部２０からなるスリットに支持させてなり、これによりＹ方向に長いスリット（凹溝部２０）に沿って鉤状突起１９を案内させるようにし、スライド板１８の全体をＸ方向にスライドさせることを可能にしている。
【００２２】
下板１１のうち、開口部７側と対向する奥側の辺部には、Ｙ方向での各端部位置にそれぞれ切り起こし部２１が形成される。凹溝部２０にＹ方向での各端部を支持されるスライド板１８は、各鉤状突起１９と前記下板１１のＸ方向で対応する切り起こし部２１間に引っ張りスプリング２２を介装させ、スライド板１８の全体をカード収容部２３内に対して支持させるようにしている。すなわち、引っ張りスプリング２２は、長手方向をＸ方向に対応させるようにして一端部を切り起こし部２１に掛着させ、他端部を鉤状突起１９に掛着するようにしている。この結果、カード収容部２３内のスライド板１８は、常時は引っ張りスプリング２２の引っ張り力により、開口部７と対向するカード収容部２３の奥側（図５のＣ方向）に引っ張られることとなり、図６に示す鉤状突起１９がスリット（凹溝部２０）の開口部７に対する最奥部側（図６の矢印Ｃ方向での端部）と係合するスライド端位置において位置決めされることとなる。
【００２３】
スライド板１８のうち、Ｙ方向での略中間位置の上面には、前記スライド操作片５が取着される。スライド操作片５は、スライド板１８の上面に立ち上げられる状態で取着される、一対の筒状からなる管体２４の上部位置にネジ２６を用いて取着される（図４参照）。すなわち、一対の管体２４は上板１６においてＸ方向に沿って穿設される各長孔２５に挿通させるようにして、上端部を上板１６上に突出させ、対応する長孔２５に挿通された管体２４の上部に対しては長手方向をＹ方向に対応させたスライド操作片５をネジ２６を用いて取着し、上板１６の上部側にスライド操作片５が位置されるようスライド板１８の上面にスライド操作片５を取着させてなる。
【００２４】
なお、ホルダ本体６に対して図１および図２に示すように外ケース２を外装するに際しては、各管体２４をそれぞれホルダ本体６の上板１６に形成される長孔２５、外ケース２に形成される長孔８に挿通させた上、その上部にスライド操作片５をネジ２６を用いて取着し、スライド操作片５を外ケース２の外方に位置決めさせることを可能にしている。
【００２５】
このようにして、上板１６上に位置されるスライド片５（外ケース２の上外方でもよい）は、長孔２５（外ケース２を外装させた場合は長孔８も含む）に沿って、矢印Ａ方向にスライド操作することが可能となる。
【００２６】
こうして図４に示す各部材を組立てることにより形成されるホルダ本体６は、上板１６と下板１１間のスライド板１８の下面において、図８および図９に示すように一端側（矢印Ｄ方向の側）に開口部７を備えたカード収容部２３が画成されることとなり、該カード収容部２３に対しては、カードとしての複数枚の名刺２７を重なる状態で収容し、保持させることを可能にしている。すなわち、カード収容部２３に対する名刺２７の収容は、図８、図９に示すように重ね合わせた状態の名刺２７を開口部７よりカード収容部２３の奥側に向け、矢印Ｃ方向に挿入するようにして行う。
【００２７】
カード収容部２３内に重なる状態で収容・保持される名刺２７は、矢印Ｃ方向での奥側において、最下段の名刺２７の下面に対し、矢印Ｂ方向に付勢される板バネ１２（弾性部材）の先端側が当接され（図８、図９参照）、これにより上下に重なる名刺２７の全体をカード収容部２３内において上方に持ち上げるべく板バネ１２が付勢されることになる。
【００２８】
さらにカード収容部２３内に重なる状態で収容・保持される名刺２７は、矢印Ｃ方向での奥側において、Ｙ方向での各端部を壁枠体１４のＸ方向での奥側に備えられ、矢印Ｅ方向に付勢される板バネ２８（図４、図５参照）の先端に当接する状態で位置決めされる。
【００２９】
すなわち、カード収容部２３内の複数枚の名刺２７は、開口部７に対する奥部側（矢印Ｃ方向側）で、Ｙ方向での各端部を板バネ２８により位置決めされ、さらに板バネ１２により全体が持ち上げられる状態で位置決めされることとなり、こうして全体を板バネ１２により持ち上げられる名刺２７のうち、最上段の名刺２７の上面がスライド板１８の下面に接触する状態となる。こうした接触（面接触）は、板バネ２８の付勢力が及ぶカード収容部２３の矢印Ｃ方向での奥部側において強い接触力の下、強く行われることとなる。
【００３０】
スライド板１８のうち、Ｘ方向における開口部７と対向する奥部側（矢印Ｃ方向側）の端部には、Ｙ方向での各端部において下方に突出する一対の係合爪２９が備えられる。下方に突出する係合爪２９の突出長さＴは、名刺２７の１枚の厚さより僅かに小さいものに設定され（図８、図９参照）、これによりカード収容部２３内に上下重なる状態で収容・保持される名刺２７のうち、最上段の名刺２７の開口部７と対向する奥部側（矢印Ｃ方向側）の端部をこの係合爪２９に係合させることが可能となる。
【００３１】
次に、図４に示す各部材を組み立てて構成され、カード収容部２３に複数枚の名刺２７を重ね合わせるようにしてホルダ本体６に収容、保持する名刺ホルダ１から名刺２７を１枚ずつ取り出す際の取り出し機構の作動状態を図面に基づいて説明する。
【００３２】
図１に示すように外ケース２に外装され、複数枚の名刺２７をカード収容部２３内に収容、保持してなるホルダ本体６において、先ずスライド操作片５の下方の一対の管体２４間に係入され、この間に係合されていた舌片４の先端の係合片４ａを矢印Ｆ方向に引き抜き、係合を解除するようにする。
【００３３】
すると、図２に示すように舌片４で被覆されていたケース開口３が外部に露出され、外ケース２内に内装されるホルダ本体６の開口７も外部に露出されることとなる。この状態で矢印Ａ方向にスライド可能とされるスライド操作片５を、図６あるいは図８に示すスライド端位置（スライド板１８の格納位置）から図７あるいは図９に示すスライド端位置（スライド板１８の外方スライド位置）にスライドさせることが可能となる。すなわち、こうしたスライド操作片５の矢印Ａ方向でのスライドにより、カード収容部２３内において最上段に位置する名刺２７とその下面を接するスライド板１８も、矢印Ａ方向にスライド操作することが可能となる。
【００３４】
スライド板１８は、スライド操作片５を矢印Ｄ方向にスライドさせ、図７あるいは図９に示すそのスライド端位置において、矢印Ｘ方向における開口部７側の端部を、図６および図８に示す格納状態から開口部７の外方位置にスライドさせ、位置決めさせることが可能となる。こうしたスライド板１８の開口部７の外方位置（スライド端）への位置決めは、上板１６における長孔２５に案内される状態でスライドされる管体２４により規制される他、スライド板１８のＹ方向での各端部に備えられ、スリット（凹溝部２０）に案内される状態にある鉤状突起１９によっても規制される。すなわち、スライド板１８は、長孔２５の矢印Ｄ方向での端部に管体２４に衝合するか、スリット（凹溝部２０）の矢印Ｄ方向での端部に鉤状突起１９が衝合することによって、矢印Ｄ方向でのスライド端が規制される。またスライド板１８は、長孔２５の矢印Ｃ方向での端部に管体２４が衝合するか、スリット（凹溝部２０）の矢印Ｃ方向での端部に鉤状突起１９が衝合するかによって、矢印Ｃ方向でのスライド端が規制される。
【００３５】
このように、スライド板１８は、両スライド端の間をスライド操作片５の矢印Ａ方向のスライド操作によりスライドされ、開口部７側の端部（矢印Ｄ方向での端部）をカード収容部２３内（格納状態）と開口部７の外方位置との間を往復動可能とさせることが可能となる。図６および図８に示すスライド端位置（格納位置）からスライド操作片５を引っ張りスプリング２２の引っ張り力に抗して矢印Ｄ方向にスライドさせると、スライド板１８は図７および図９にスライド端位置（外方スライド位置）まで移動されることとなる。この状態で係合爪２９に対し、矢印Ｃ方向での開口部７に対向する最奥部を係合し、カード収容部２３内の最上段に位置される名刺２７は、矢印Ｄ方向における開口部７側の端部を、スライド板１８とその上面を接する状態で開口部７の外方位置へとスライドされることとなる。すなわち、このようにして開口部７の外方位置に、その端部がスライドされ、引き出された名刺２７については、図９の矢印Ｇに示すように矢印Ｄ方向での端部を上下方向より摘まみ、ホルダ本体６（名刺ホルダ１）より取り出すことが可能となる。
【００３６】
ここで取り出し機構としてのスライド板１８の開口部７側の辺部は、Ｙ方向での略中央部が弓形凹状に湾曲され、図９に示すように略中央部において上下位置より指で名刺２７の開口部７側の端部を摘まみ易いよう、スライド板１８を形成させている。
【００３７】
こうしてカード収容部２３内の最上段に位置されていた名刺２７が取り出された状態において、指をスライド操作片５から離すと、スライド板１８は引っ張りスプリング２２の引っ張り力により、再び図６および図８に示すスライド端位置（格納位置）までスライドすることとなり、スライド板１８の下面には次にカード収容部２３の次の最上段に位置される名刺２７の上面が接することになり、当該名刺２７の矢印Ｃ方向における最奥部が係合爪２９により係合されることとなる。この状態で、さらにスライド操作片５を矢印Ｄ方向にスライドさせるようにすれば、順次カード収容部２３内の最上段の名刺２７を開口部７の外方位置に引き出すことが可能となる。
【００３８】
このようにして、ホルダ本体６、あるいは名刺ホルダ１は、カード収容部２３に収容される名刺２７を開口部７より、スライド操作片５のスライド操作によって１枚ずつ取り出すことが可能となり、カード収容部２３内の名刺２７がなくなるまで順次名刺２７を開口部７外へとスライドさせる操作を繰り返すことができる。
【００３９】
このように上記実施形態に係るホルダ本体６は、カード収容部２３内において重なる状態で収容される名刺２７の全体がカード収容部２３の下方に備えられる板バネ１２（弾性部材）により持ち上げられる状態となり、最上段に位置される名刺２７が常時スライド板１８の下面に接触される状態でカード収容部２３内に収容されることとなる。こうしてカード収容部２３内において重なる状態で収容される名刺２７に対し、スライド板１８が収容部２３内において最上段の名刺２７の上面と接触することとなり、この状態においてスライド板１８を収容部２３に対する格納状態から開口部７の外方に向けてスライド操作することにより、該最上段の名刺２７を係合爪２９に係合させて開口部７の外方位置にスライドすることができる。
【００４０】
開口部７の外方位置にスライドされた名刺２７は、指で摘まむようにして取り出すことが可能となり、こうして最上段の名刺２７が取り出されたら、再びスライド板１８はカード収容部２３内に引っ張りスプリング２２の引っ張り力によりスライドされることとなり、取り出された名刺２７の下段にあった名刺２７が板バネ２７（弾性部材）の弾性力により上方に持ち上げられ、スライド板１８の下面に接触されることになる。このようにして順次カード収容部２３内に重なる状態で収容される名刺２７について、スライド板１８の矢印Ｄ方向での開口部７側の端部をカード収容部２３内の格納位置と開口部７の外方位置間で往復動させることで１枚ずつ取り出すことが可能となり、自動的に名刺２７を１枚ずつ取り出すことを可能とし、コンパクトで操作性に優れたホルダ本体６（名刺ホルダ１）を提供することが可能となる。
【００４１】
しかも上記実施形態に係るホルダ本体６は、スライド板１８を常時はカード収容部２３内の格納位置に位置決めされるよう、カード収容部２３において切り起こし部２１とスライド板１８の鉤状突起１９の間に引っ張りスプリング２２を介装させる状態で支持し、スライド板１８の矢印Ｄ方向での端部の開口部７の外方位置へのスライド操作を該引っ張りスプリング２２の引っ張り力に抗して行うこととしている。よって、スライド板１８における矢印Ｄ方向での端部を開口部７の外方位置にスライドし、名刺２７を取り出したままの状態で操作片５を解放すれば、スライド板１８は引っ張りスプリング２２の引っ張り力により、カード収容部２３内に自動的にスライドすることとなり、より操作性に優れたホルダ本体６（名刺ホルダ１）の提供が可能となる。
【００４２】
さらに加えて、上記実施形態に係るホルダ本体６は、スライド板１８の上面において、上板１６の上方、あるいは外ケース２の外方より、指でスライド板１８を矢印Ａ方向にスライド操作するためのスライド操作片５（操作体）を取着させているため、指で操作片５をスライド操作するだけでカード収容部２３内の名刺２７を１枚ずつ取り出すことができ、より操作性に優れたホルダ本体６（名刺ホルダ１）の提供が可能となる。
【００４３】
なお、上記実施形態によれば、カード収容部２３において切り起こし部２１とスライド板１８の鉤状突起１９の間に引っ張りスプリング２２を介装させるようにしているが、このような機構を用いることなく、スライド板１８を単に矢印Ｄ方向での端部をカード収容部内と開口部７の外方位置との間でスライド操作するよう設定することとしてもよい。
【産業上の利用可能性】
【００４４】
本考案は、上記実施形態に係る名刺ホルダばかりでなく、キャッシュカード、クレジットカードなどのカード類を、複数段重ねた状態で収容するカードホルダにも採用することができ、極めて使い勝手がよいカードホルダの提供が可能となる。
【符号の説明】
【００４５】
１                                名刺ホルダ
２                                外ケース
３                                ケース開口
４                                舌片
４ａ                              係合片
５                                スライド操作片（操作体）
６                                ホルダ本体（カードホルダ）
７                                開口部
８、２５                          長孔
１０                              底板
１１                              下板
１２、２８                        板バネ（弾性部材）
１３                              開口窓
１４                              壁枠体
１５ａ、１５ｂ、１５ｃ、１５ｄ    係合突起
１６                              上板
１７ａ、１７ｂ、１７ｃ、１７ｄ    係合孔
１８                              スライド板
１９                              鉤状突起
２０                              凹溝部
２１                              切り起こし部
２２                              引っ張りスプリング
２３                              カード収容部
２４                              管体
２６                              ネジ
２７                              名刺（カード）
２９                              係合爪
【図１】
0003151947.tif 000003
【図２】
0003151947.tif 000004
【図３】
0003151947.tif 000005
【図４】
0003151947.tif 000006
【図５】
0003151947.tif 000007
【図６】
0003151947.tif 000008
【図７】
0003151947.tif 000009
【図８】
0003151947.tif 000010
【図９】
0003151947.tif 000011